(57)【要約】【課題】男性用の吸収性物品において、尿が袋部の底部まで到達する時間を増大させ、吸収部を広範囲に利用して効率良く尿を吸収する。【解決手段】男性用の吸収性物品１は、上端に開口２０を有する袋状の本体部２、および、本体部２の内部に配置される帯状の部材である２枚の親水性の内部シート３を備える。各内部シート３の上端部は本体部２の上部に固定され、上端部を除く部位は本体部２とは非接合とされる。各内部シート３には、上下方向に伸びる複数の内部シート弾性部材が接合されており、これらの内部シート弾性部材が収縮することにより各内部シート３にギャザー３１が形成される。吸収性物品１では、尿が内部シート３に形成されたギャザー３１を伝わって内部シート３上を比較的ゆっくりと移動するため、尿が袋部２３の底部まで到達する時間を増大させることができる。その結果、吸収部２２を広範囲に利用して効率良く尿を吸収することができる。【選択図】図２
2010268984.tif 000002
【特許請求の範囲】
【請求項１】
着用者からの尿を受ける男性用の吸収性物品であって、
撥水性または不透液性のシート部材により形成されるとともに上端に着用者の男性器が挿入される開口を有する袋部と、
前記袋部の内部に配置された透液性の内部シートと、
前記袋部と前記内部シートとの間に配置されて前記着用者からの尿を吸収する吸収部と、
前記内部シートに接合され、収縮することにより前記内部シートの少なくとも一部にギャザーを形成する弾性部材と、
を備えることを特徴とする吸収性物品。
【請求項２】
請求項１に記載の吸収性物品であって、
前記ギャザーが、前記内部シートの前記袋部の下部に位置する部位に形成されることを特徴とする吸収性物品。
【請求項３】
請求項１または２に記載の吸収性物品であって、
前記ギャザーが、上下方向のおよそ全長に亘って前記内部シートに形成されることを特徴とする吸収性物品。
【請求項４】
請求項１ないし３のいずれかに記載の吸収性物品であって、
前記吸収部が、高吸収性ポリマーまたは高吸収性ファイバーにより形成されることを特徴とする吸収性物品。
【請求項５】
請求項１ないし４のいずれかに記載の吸収性物品であって、
前記吸収部と前記内部シートとの間に配置されるとともに前記袋部の内面のおよそ全体を覆う透液性のトップシートをさらに備え、
前記内部シートが、前記袋部の上部に上端部が固定された帯状の部材であることを特徴とする吸収性物品。
【請求項６】
請求項５に記載の吸収性物品であって、
前記弾性部材が、上下方向を向く糸状または帯状の部材であることを特徴とする吸収性物品。
【請求項７】
請求項５に記載の吸収性物品であって、
前記内部シートに固定された内部シート吸収部をさらに備えることを特徴とする吸収性物品。
【請求項８】
請求項７に記載の吸収性物品であって、
前記内部シート吸収部が、高吸収性ポリマーまたは高吸収性ファイバーにより形成されることを特徴とする吸収性物品。
【請求項９】
請求項７または８に記載の吸収性物品であって、
前記内部シート吸収部が、上下方向に伸びるとともに前記上下方向に垂直な方向に配列された複数の吸収要素を備え、
前記弾性部材が、前記上下方向を向く糸状または帯状の部材であり、前記複数の吸収要素の間にて前記内部シートに接合されることを特徴とする吸収性物品。
【請求項１０】
請求項７ないし９のいずれかに記載の吸収性物品であって、
前記内部シート吸収部を前記上下方向に垂直な方向に横切る吸収体非存在領域が設けられることを特徴とする吸収性物品。
【請求項１１】
請求項５ないし１０のいずれかに記載の吸収性物品であって、
前記袋部の上部に上端部が固定されるとともに前記内部シートに対向するもう１つの内部シートをさらに備えることを特徴とする吸収性物品。
【発明の詳細な説明】
【技術分野】
【０００１】
本発明は、着用者からの尿を受ける男性用の吸収性物品に関する。
【背景技術】
【０００２】
従来より、着用者からの排泄物を受ける吸収性物品の１つとして、着用者の男性器を内部に収容する袋状の吸収性物品が用いられている。例えば、特許文献１の男性用尿吸収器具は、非透水性フィルムと透水性フィルムとの間に吸収体が設けられた袋状体、および、袋状体の開口周囲に形成される収容口部を備え、収容口部が伸縮自在とされることにより、袋状体の内部に収容された着用者の男性器（ペニスおよび睾丸）の根元部分が保持される。
【先行技術文献】
【特許文献】
【０００３】
【特許文献１】特開２００４−１５９７２４号公報
【発明の概要】
【発明が解決しようとする課題】
【０００４】
ところで、特許文献１のような男性用尿吸収器具では、排泄された尿が袋状体の底部まですぐに到達するため、袋状体の底部近傍の部位のみが尿の吸収に利用されることとなる。このため、尿の全量を吸収することができず、着用者の姿勢の変化に伴い、吸収体により吸収されなかった尿が逆流して開口と男性器との間の隙間から漏れてしまうおそれがある。
【０００５】
本発明は、上記課題に鑑みなされたものであり、吸収部を広範囲に利用して効率良く尿を吸収することを目的としている。
【課題を解決するための手段】
【０００６】
請求項１に記載の発明は、着用者からの尿を受ける男性用の吸収性物品であって、撥水性または不透液性のシート部材により形成されるとともに上端に着用者の男性器が挿入される開口を有する袋部と、前記袋部の内部に配置された透液性の内部シートと、前記袋部と前記内部シートとの間に配置されて前記着用者からの尿を吸収する吸収部と、前記内部シートに接合され、収縮することにより前記内部シートの少なくとも一部にギャザーを形成する弾性部材とを備える。
【０００７】
請求項２に記載の発明は、請求項１に記載の吸収性物品であって、前記ギャザーが、前記内部シートの前記袋部の下部に位置する部位に形成される。
【０００８】
請求項３に記載の発明は、請求項１または２に記載の吸収性物品であって、前記ギャザーが、上下方向のおよそ全長に亘って前記内部シートに形成される。
【０００９】
請求項４に記載の発明は、請求項１ないし３のいずれかに記載の吸収性物品であって、前記吸収部が、高吸収性ポリマーまたは高吸収性ファイバーにより形成される。
【００１０】
請求項５に記載の発明は、請求項１ないし４のいずれかに記載の吸収性物品であって、前記吸収部と前記内部シートとの間に配置されるとともに前記袋部の内面のおよそ全体を覆う透液性のトップシートをさらに備え、前記内部シートが、前記袋部の上部に上端部が固定された帯状の部材である。
【００１１】
請求項６に記載の発明は、請求項５に記載の吸収性物品であって、前記弾性部材が、上下方向を向く糸状または帯状の部材である。
【００１２】
請求項７に記載の発明は、請求項５に記載の吸収性物品であって、前記内部シートに固定された内部シート吸収部をさらに備える。
【００１３】
請求項８に記載の発明は、請求項７に記載の吸収性物品であって、前記内部シート吸収部が、高吸収性ポリマーまたは高吸収性ファイバーにより形成される。
【００１４】
請求項９に記載の発明は、請求項７または８に記載の吸収性物品であって、前記内部シート吸収部が、上下方向に伸びるとともに前記上下方向に垂直な方向に配列された複数の吸収要素を備え、前記弾性部材が、前記上下方向を向く糸状または帯状の部材であり、前記複数の吸収要素の間にて前記内部シートに接合される。
【００１５】
請求項１０に記載の発明は、請求項７ないし９のいずれかに記載の吸収性物品であって、前記内部シート吸収部を前記上下方向に垂直な方向に横切る吸収体非存在領域が設けられる。
【００１６】
請求項１１に記載の発明は、請求項５ないし１０のいずれかに記載の吸収性物品であって、前記袋部の上部に上端部が固定されるとともに前記内部シートに対向するもう１つの内部シートをさらに備える。
【発明の効果】
【００１７】
本発明では、尿が袋部の底部まで到達する時間をギャザーにより増大させ、これにより、吸収部を広範囲に利用して効率良く尿を吸収することができる。また、請求項５ないし１１の発明では、吸収性物品が嵩高になることを防止することができる。請求項７ないし１０の発明では、さらに、吸収力を向上することができる。
【図面の簡単な説明】
【００１８】
【図１】吸収性物品の正面図である。
【図２】吸収性物品の断面図である。
【図３】吸収性物品を展開した図である。
【図４】内部シートの断面図である。
【図５】内部シート吸収部の他の例を示す図である。
【図６】内部シート吸収部の他の例を示す図である。
【図７】内部シート吸収部の他の例を示す図である。
【発明を実施するための形態】
【００１９】
図１は、本発明の一の実施の形態に係る吸収性物品１の正面図であり、図２は、吸収性物品１を図１中のＡ−Ａの位置にて切断した断面図である。吸収性物品１は男性用であり、着用者の男性器に取り付けられて着用者からの尿を受ける。
【００２０】
図１および図２に示すように、吸収性物品１は、上下方向（図１および図２中の上下方向に対応する。）の一方の端部である上端に開口２０を有する袋状の本体部２、および、本体部２の内部に配置される帯状の部材である２枚の内部シート３を備える。内部シート３は、本体部２の上部に上端部が固定された透液性のシート部材であり、本実施の形態では、親水性のシート部材とされる。図２に示すように、２枚の内部シート３は本体部２の内部において互いに対向しており、各内部シート３の上端部を除く部位は本体部２とは非接合とされる。各内部シート３には、着用者からの尿を吸収する内部シート吸収部４が固定されている。図２では、図の理解を容易にするために、内部シート吸収部４に平行斜線を付す（後述する本体部２の吸収部２２についても同様）。また、図の理解を容易にするために、吸収性物品１の各構成を互いに離間させて描いている（図４においても同様）。
【００２１】
図３は、吸収性物品１を展開した図である。図３に示すように、各内部シート３には、複数の弾性部材５（以下、「内部シート弾性部材５」という。）が接合されており、これらの内部シート弾性部材５が収縮することにより各内部シート３にギャザー３１が形成される。吸収性物品１が製造される際には、本体部２が、上下方向の略中央において上下方向に垂直な左右方向に沿う折り曲げ線９１にて２つ折りにされ、折り曲げ線９１の両側の部位（すなわち、本体部２の互いに対向する部位）の両側端部が熱融着等により互いに接合される。
【００２２】
図２に示すように、本体部２は、上端に着用者の男性器が挿入される上記開口２０を有する袋部２３、袋部２３の内面２３１上にホットメルト接着剤等により接合される吸収部２２、吸収部２２上から袋部２３の内面２３１を覆う透液性のトップシート２１、吸収部２２とトップシート２１との間において吸収部２２を覆う透液性の中間シート２４、および、開口２０近傍において袋部２３に接合される開口部シート２５を備える。
【００２３】
袋部２３は、撥水性または不透液性のシート部材により形成され、吸収性物品１の最外層に配置されて吸収性物品１内部からの尿の漏出を防止する部材であり、いわゆる、バックシートの役割を果たす。袋部２３の上端部は、袋部２３の内側へと折り返されて袋部２３の他の部位と重なっており、図２および図３に示すように、左右方向に伸びる複数の弾性部材２６（以下、「開口部弾性部材２６」という。）が、袋部２３の上記重ねられた部位の間に接合される。また、図３に示すように、開口部シート２５には止着部２７が接合されており、止着部２７の面ファスナ２７１が、図１に示すように、袋部２３の外面２３２に止着されることにより開口２０の大きさが男性器に合うように調整される。
【００２４】
図２に示すように、トップシート２１は、袋部２３の内面２３１のうち開口２０近傍の一部を除くおよそ全体を覆い、図３中の左右両側にて袋部２３に接合される。また、図２に示すように、袋部２３の内面のうち開口２０近傍の上記一部（すなわち、トップシート２１から露出する部位）は開口部シート２５により覆われており、開口部シート２５は袋部２３に接合される。トップシート２１の上端部と開口部シート２５の下端部とは重なっており、上述の各内部シート３の上端部は、袋部２３の上部において、トップシート２１の上端部と開口部シート２５の下端部との間にてトップシート２１および開口部シート２５に接合（すなわち、固定）される。吸収性物品１では、袋部２３の内部に配置された内部シート３と袋部２３の内面２３１との間に吸収部２２が配置されており、吸収部２２と内部シート３との間にトップシート２１および中間シート２４が配置される。
【００２５】
トップシート２１は、親水性繊維（例えば、セルロースやレーヨン、コットン）により形成された透液性の不織布であり、着用者からの尿を吸収部２２へと移動させる。トップシート２１としては、例えば、ポイントボンド不織布やエアスルー不織布、スパンレース不織布が利用される。また、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、開孔を有するプラスチックフィルムが利用されてもよい。
【００２６】
吸収部２２は、粒状の高吸収性ポリマー（ＳＡＰ（Super Absorbent Polymer））が袋部２３の内面２３１にホットメルト接着剤等により接合されることにより形成された吸収層であり、トップシート２１を透過した着用者からの尿を吸収して速やかに固定する。吸収部２２は、高吸収性ファイバー（ＳＡＦ（Super Absorbent Fiber））が袋部２３の内面２３１にホットメルト接着剤等により接合されることにより形成されてもよい。なお、吸収部２２は、例えば、親水性繊維（粉砕されたパルプ繊維やセルロース繊維等）に上述の高吸収性ポリマーや高吸収性ファイバーを混合したものを、ティッシュペーパーや透液性不織布等の被覆シートにより包み込んで形成されてもよい。
【００２７】
袋部２３は、疎水性繊維（例えば、ポリプロピレン、ポリエチレン、ポリエステル、ポリアミド、ナイロン）により形成された撥水性または不透液性の不織布であり、トップシート２１を透過した尿が本体部２の外部へとしみ出すことを防止する。袋部２３としては、例えば、スパンボンド不織布やメルトブロー不織布、ＳＭＳ（スパンボンド・メルトブロー・スパンボンド）不織布が利用される。また、袋部２３として、撥水性または不透液性のプラスチックフィルムが利用されてもよく、当該プラスチックフィルムの外側に上述の不織布が積層された積層シートが利用されてもよい。なお、袋部２３にプラスチックフィルムが利用される場合、当該プラスチックフィルムは透湿性（すなわち、通気性）を有するものが好ましい。これにより、吸収性物品１のムレを防止して着用者の快適性を向上することができる。
【００２８】
中間シート２４としては、例えば、透液性の不織布やティッシュペーパーが利用され、中間シート２４によりトップシート２１を透過した尿が拡散される。開口部シート２５としては、トップシート２１と同様の透液性のシート部材（例えば、親水性繊維により形成された透液性の不織布）が利用される。開口部弾性部材２６としては、ポリウレタンや天然ゴムにより形成された糸状または帯状の部材が利用される。本実施の形態では、弾性糸であるポリウレタン糸が開口部弾性部材２６として利用される。
【００２９】
図４は、内部シート３を図３中のＢ−Ｂの位置にて切断した断面図である。図２および図４に示すように、内部シート３は、２枚の親水性シート３２（例えば、セルロースやレーヨン、コットン等の親水性繊維により形成された２枚の親水性の不織布）が積層されて接合されることにより形成され、本実施の形態では、内部シート３の２枚の親水性シート３２の間に内部シート吸収部４が固定されている。内部シート吸収部４は、内部シート３の２枚の親水性シート３２の間にホットメルト接着剤等により接合された粒状の高吸収性ポリマー（または、高吸収性ファイバー）により形成された吸収層であり、着用者からの尿を吸収して速やかに固定する。
【００３０】
なお、内部シート吸収部４は、本体部２の吸収部２２と同様に、親水性繊維（粉砕したパルプ繊維やセルロース繊維等）に高吸収性ポリマーや高吸収性ファイバーを混合したものを、ティッシュペーパーや透液性不織布等の被覆シートにより包み込んで形成されてもよい。また、内部シート３は、例えば、１枚の親水性シートを２つ折りにして形成されてもよい。
【００３１】
図３および図４に示すように、各内部シート３に固定された内部シート吸収部４は、上下方向に伸びるとともに左右方向に配列された複数（本実施の形態では、２つ）の吸収要素４１を備え、複数の吸収要素４１の間の領域（すなわち、高吸収性ポリマーが設けられない吸収体非存在領域）では、内部シート３の２枚の親水性シート３２（図４参照）が直接接合される。
【００３２】
内部シート弾性部材５は、上下方向を向く（すなわち、上下方向におよそ平行な）糸状または帯状の部材であり、本実施の形態では、各内部シート３に３本の内部シート弾性部材５が接合される。３本の内部シート弾性部材５のうち１本の内部シート弾性部材５は、複数の吸収要素４１の間にて内部シート３の２枚の親水性シート３２に接合され、他の２本の内部シート弾性部材５は、内部シート吸収部４（すなわち、２つの吸収要素４１）の左右両側において２枚の親水性シート３２に接合される。内部シート弾性部材５は、開口部弾性部材２６（図３参照）と同様に、ポリウレタンや天然ゴムにより形成され、本実施の形態では、弾性糸であるポリウレタン糸が内部シート弾性部材５として利用される。
【００３３】
３本の内部シート弾性部材５はそれぞれ、内部シート３の上下方向の全長におよそ等しい長さまで伸張された状態で２枚の親水性シート３２に接合されており、内部シート弾性部材５が収縮することにより、図２および図３に示すように、内部シート３の上下方向のおよそ全長に亘ってギャザー３１が形成される。
【００３４】
吸収性物品１が装着される際には、図２に示す開口２０から男性器が本体部２の内部に挿入され、２枚の内部シート３の間に配置される。そして、止着部２７（図１参照）が袋部２３の外面２３２に止着されることにより開口２０の大きさが男性器に合うように調整される。吸収性物品１の内部において尿が排泄されると、尿は親水性の内部シート３にて受けられ、内部シート３に浸透しつつ本体部２の底部（すなわち、袋部２３の開口２０とは反対側の底部）へと導かれる。内部シート３に浸透した尿の一部は、内部シート吸収部４により吸収され、内部シート吸収部４により吸収されずに内部シート３を透過した尿は、内部シート３に当接する本体部２のトップシート２１および中間シート２４を透過して吸収部２２により吸収される。
【００３５】
吸収性物品１では、尿が内部シート３に形成されたギャザー３１を伝わって内部シート３上を袋部２３の底部に向かって比較的ゆっくりと移動するため、尿が袋部２３の底部まで到達する時間を増大させることができる。その結果、透液性の内部シート３上の広い範囲において、尿が内部シート３を透過して本体部２へと移動し、吸収部２２の広い範囲に吸収される。このように、吸収性物品１では、吸収部２２を広範囲に利用して効率良く尿を吸収することができるため、尿が吸収されずに袋部２３の内部に留まることが防止される。これにより、吸収されなかった尿が吸収性物品１の内部から逆流して開口２０と男性器との間の隙間から漏れてしまうことを防止することができる。
【００３６】
また、上述のように、内部シート３が親水性のシート部材とされることにより、尿が内部シート３に染み込み易くなるため、内部シート３にて受けられた尿の袋部２３の底部への移動速度はより小さくなる。その結果、尿が袋部２３の底部まで到達する時間をより増大させることができ、吸収部２２のさらに広い範囲を利用して尿をより効率良く吸収することができる。
【００３７】
吸収性物品１では、袋部２３の内部に互いに対向する２枚の内部シート３を備えることにより、尿が袋部２３の底部まで到達する時間をさらに増大させることができ、吸収部２２のより広い範囲を利用して尿をより一層効率良く吸収することができる。また、各内部シート３において、ギャザー３１が内部シート３の上下方向のおよそ全長に亘って形成されることにより、内部シート３にて受けられた尿が、袋部２３の底部まで到達する時間をより一層長くすることができ、尿をさらに効率良く吸収することができる。
【００３８】
上述のように、内部シート３の上端部は本体部２の上部（すなわち、開口２０近傍）に固定されており、内部シート３の上端部を除く部位は本体部２（のトップシート２１）とは非接合とされる。このため、本体部２には、内部シート弾性部材５の収縮によるギャザーが形成されず、吸収性物品１が嵩高になることを防止することができるとともに吸収性物品１の取り扱いを容易とすることができる。また、内部シート弾性部材５が上下方向を向く糸状または帯状の部材とされることにより、内部シート弾性部材５の収縮によるギャザー３１が、およそ左右方向に伸びる複数の皺を有する構造となる。これにより、尿がギャザー３１を伝わって袋部２３の底部まで到達する時間をより増大させることができ、その結果、吸収部２２を広範囲に利用してさらに効率良く尿を吸収することができる。
【００３９】
吸収性物品１では、内部シート３に固定された内部シート吸収部４が設けられることにより、吸収性物品１全体としての吸収力を向上することができる。その結果、吸収性物品１からの尿の漏れをより確実に防止することができる。また、内部シート吸収部４が高吸収性ポリマーまたは高吸収性ファイバーにより形成される（すなわち、内部シート吸収部４に粉砕パルプ等の嵩高な部材が含まれず、高吸収性ポリマーまたは高吸収性ファイバーのみにより内部シート吸収部４が形成される）ことにより、内部シート３の薄型化および柔軟性向上を実現し、ギャザー３１の形成を容易とすることができるとともに、吸収性物品１が嵩高になることを防止することができる。さらに、本体部２の吸収部２２が高吸収性ポリマーまたは高吸収性ファイバーにより形成されることにより、吸収性物品１が嵩高になることをより一層防止することができる。
【００４０】
上述のように、内部シート吸収部４は、上下方向に伸びるとともに左右方向に配列された複数の吸収要素４１を備え、複数の吸収要素４１の間に高吸収性ポリマーが存在しない領域が設けられる。これにより、内部シート吸収部４による尿の吸収の際に、各吸収要素４１の膨潤が他の吸収要素４１により妨げられることが防止され、内部シート吸収部４の吸収力を向上することができる。また、吸収要素４１の膨潤後であっても、尿は複数の吸収要素４１の間の領域を伝わって袋部２３の底部へと確実に導かれる。
【００４１】
内部シート弾性部材５は、複数の吸収要素４１の間、および、内部シート吸収部４の左右両側の高吸収性ポリマーが存在しない領域にて内部シート３の２枚の親水性シート３２に接合される。このため、内部シート弾性部材５を内部シート３に強固に接合することができ、内部シート吸収部４の膨潤後においても内部シート弾性部材５が内部シート３から脱落してしまうことを防止することができる。また、内部シート３の高吸収性ポリマーが存在しない領域は、高吸収性ポリマーが存在する領域に比べて柔らかいため、このような柔らかい領域に内部シート弾性部材５を配置することにより、内部シート３に容易にギャザー３１を形成することができる。
【００４２】
図５ないし図７は、内部シート吸収部の他の形状を例示する図である。図５ないし図７では、内部シート３および内部シート弾性部材５を併せて描いており、図の理解を容易にするために、内部シート吸収部４ａ〜４ｃの吸収要素４１に平行斜線を付す。図５に示す内部シート吸収部４ａでは、３つの吸収要素４１が上下方向に配列され、内部シート吸収部４ａを左右方向に横切る２つの吸収体非存在領域４２（すなわち、高吸収性ポリマーが接合されていない領域）が設けられる。これにより、内部シート３の上下方向の剛性が低下し、内部シート３に容易にギャザー３１が形成される。
【００４３】
図６に示す内部シート吸収部４ｂでは、４つの吸収要素４１が格子状に配列され、内部シート吸収部４ｂを左右方向に横切る１つの吸収体非存在領域４２が設けられる。図７に示す内部シート吸収部４ｃでは、それぞれが上下方向に並ぶ３つの吸収要素４１を備える３つの吸収要素列が左右方向に配列される。内部シート吸収部４ｃでは、各吸収要素列に２つの吸収体非存在領域４２が設けられており、中央の吸収要素列における吸収体非存在領域４２の上下方向の位置が、他の２つの吸収要素列における吸収体非存在領域４２の位置と異なる。換言すれば、内部シート吸収部４ｃでは、左右方向にジグザグに伸びる２つの吸収体非存在領域４２が、内部シート吸収部４ｃを左右方向に横切る。内部シート吸収部４ｂ，４ｃでも、内部シート吸収部４ａ（図５参照）と同様に、内部シート３に容易にギャザー３１が形成される。
【００４４】
以上、本発明の実施の形態について説明してきたが、本発明は上記実施の形態に限定されるものではなく、様々な変更が可能である。
【００４５】
例えば、ギャザー３１は必ずしも内部シート３の上下方向のおよそ全長に亘って形成される必要はなく、内部シート３の少なくとも一部に形成されていればよい。例えば、ギャザー３１は、内部シート３の袋部２３の下部に位置する部位に形成されてもよい。吸収性物品１では、内部シート３の袋部２３の下部に位置する部位にギャザー３１が形成されることにより、内部シート３にて受けられた尿が、袋部２３の底部まで到達する時間を長くすることができ、尿を効率良く吸収することができる。
【００４６】
上記実施の形態では、複数の吸収要素４１を備える内部シート吸収部について説明したが、内部シート吸収部は１つの吸収要素４１のみを備えてもよい。また、本体部２の吸収部２２が十分な吸収力を有する場合には、内部シート吸収部は省略されてもよい。
【００４７】
上記実施の形態では、図３に示す左右方向に沿う折り曲げ線９１にて袋部２３を形成するシート部材が２つ折りにされて両側端部が接合されるが、袋部２３は、１枚のシート部材が上下方向に沿う折り曲げ線にて２つ折りにされ、折り曲げ線の両側の部位が下端部および一方の側端部にて接合されることにより形成されてもよい。内部シート３も同様に、１枚のシート部材が上下方向に沿う折り曲げ線にて２つ折りにされて形成されてもよく、この場合、折り曲げ線の両側の部位の間に男性器が配置される。
【００４８】
吸収性物品１では、本体部２の内部に２枚の内部シート３が設けられるが、尿が袋部２３の底部まで到達する時間を十分に長くすることができるのであれば、一方の内部シート３は省略されてもよい。また、内部シート３は本体部２のトップシート２１とは別部材とされているが、内部シート３およびトップシート２１が連続する１枚の親水性シート部材とされてもよい。この場合、当該親水性シート部材が、袋部２３の上部において２つ折りにされ、折り目の一方側の部位がトップシート２１として袋部２３の内面２３１に接合され、折り目の他方側の部位が内部シート３として袋部２３の内部に配置される。
【００４９】
本体部２では、止着部２７の面ファスナ２７１が止着されるループ部材が袋部２３の外面２３２に設けられてもよい。また、止着部２７では、面ファスナ２７１に代えて粘着テープが設けられてもよい。この場合、袋部２３の外面２３２に、粘着テープが止着されるターゲットテープが設けられてもよい。
【００５０】
吸収性物品１では、トップシート２１が省略され、袋部２３の内面２３１上に配置された吸収部２２が、袋部２３の内面２３１に接合された内部シート３、または、袋部２３の内面２３１とは非接合とされた内部シート３により覆われてもよい。この場合、吸収部２２を確実に固定するために、内部シート３が袋部２３の内面２３１に接合されることが好ましい。また、トップシート２１および吸収部２２が省略されてもよく、この場合、尿は内部シート吸収部４により吸収される。
【符号の説明】
【００５１】
１    吸収性物品
３    内部シート
４，４ａ〜４ｃ    内部シート吸収部
５    内部シート弾性部材
２０    開口
２１    トップシート
２２    吸収部
２３    袋部
３１    ギャザー
４１    吸収要素
４２    吸収体非存在領域
２３１    内面
【図１】
2010268984.tif 000003
【図２】
2010268984.tif 000004
【図３】
2010268984.tif 000005
【図４】
2010268984.tif 000006
【図５】
2010268984.tif 000007
【図６】
2010268984.tif 000008
【図７】
2010268984.tif 000009